(57)【特許請求の範囲】
【請求項１】
さし木苗育成に必要な高い湿度、適切な温度、及び適切な照度の３つの環境条件を満足させる調節を行って多数のさし木の発根率を高めるさし木苗育成装置において、
所定数のさし木を育成するさし床と太陽光を透過させる材質で密閉することと潅水によってボックス内部を高い湿度に維持させる複数のさし木増殖ボックスと、
前記複数のさし木増殖ボックスが設置される空間を有し前記空間に太陽光を入射させる温室と、
前記温室内に冷房用の細霧を噴射する細霧用ノズルと、
前記温室内の温度を検知する温度センサと、
前記温度センサで検知した温度が適切な温度に維持されるように前記細霧用ノズルからの細霧噴射をオン／オフ制御して前記温室内の温度を調整する調整手段と、
を具備したことを特徴とするさし木苗育成装置。
【発明の詳細な説明】
【０００１】
【発明の属する技術分野】
本発明は、さし木苗育成に必要な高湿度（９０〜１００％）、適温（２５〜３０℃）、及び適照度（５０００〜２００００lux）の３つの環境条件を簡易に実現することができるさし木苗育成装置に関する。
【０００２】
【従来の技術】
従来、さし木等を育成させるためには、適切な温度、湿度、及び光が必要である。例えば、２５〜３０℃の温度、９０〜１００％の湿度、５０００〜２００００luxの照度の３つの環境条件を満足すれば、さし木の発根率が高まる。
【０００３】
このため、例えば特開昭６０−１６０８２２号公報に記載された苗、接木、挿木等の育成装置では、加温冷却装置及び給気排気装置により苗箱設置内の空気の温度及び湿度を調節し、蛍光灯による人工光を供与するシステムを構築することにより、上述した適切な温度、湿度、及び光量の３つの環境条件を作り出すようにしている。
【０００４】
一方、簡易なさし木苗育成装置としては、複数のさし木が植えられるさし床を有するさし木増殖ボックスを密閉して該さし木増殖ボックス内を高湿度に保つようにしたものがある。
【０００５】
また、このさし木増殖ボックスに入射する太陽光の光量を調節することにより、該さし木増殖ボックス内の温度を適切な温度に保つようにしたものもある。
【０００６】
【発明が解決しようとする課題】
しかしながら、特開昭６０−１６０８２２号公報に記載された苗、接木、挿木等の育成装置では、太陽光ではなく蛍光灯による人工光を用いるとともに、温度及び湿度の調節は、複雑かつ高度な加温冷却装置及び給気排気装置等を用いるため、さし木苗育成装置の大規模化及び維持、管理が困難であるとともに、コストもかかるという問題点があった。
【０００７】
一方、密閉したさし木増殖ボックスにより、高湿度を保つようにした簡易なさし木苗育成装置では、上述した３つの環境条件のうちの照度を適切にするため、該さし木増殖ボックス内に十分な太陽光の光量（５０００〜２００００lux）を確保して、さし木のさし穂が十分な光合成を行えるようにすると、密閉されたさし木増殖ボックス内の温度が上昇し、特に夏期や熱帯地域では、高温（３４〜４０℃）になり、結果的にさし穂が枯死する場合があるという問題点があった。
【０００８】
また、さし木増殖ボックスへの太陽光の光量を調節することができる簡易なさし木苗育成装置では、該さし木増殖ボックス内の温度上昇を防止することができるが、上述した３つの環境条件のうちの光量を十分に確保することができないことから、さし木のさし穂が十分な光合成を行うことができず、この結果さし木の発根率が低下するという問題点があった。
【０００９】
そこで、本発明は、かかる問題点を除去し、さし木苗育成に必要な高湿度、適温、及び適照度の３つの環境条件を簡易に実現することができるさし木苗育成装置を提供することを目的とする。
【００１０】
【課題を解決するための手段】
第１の発明は、
さし木苗育成に必要な高い湿度、適切な温度、及び適切な照度の３つの環境条件を満足させる調節を行って多数のさし木の発根率を高めるさし木苗育成装置において、所定数のさし木を育成するさし床と太陽光を透過させる材質で密閉することと潅水によってボックス内部を高い湿度に維持させる複数のさし木増殖ボックスと、前記複数のさし木増殖ボックスが設置される空間を有し前記空間に太陽光を入射させる温室と、前記温室内に冷房用の細霧を噴射する細霧用ノズルと、前記温室内の温度を検知する温度センサと、前記温度センサで検知した温度が適切な温度に維持されるように前記細霧用ノズルからの細霧噴射をオン／オフ制御して前記温室内の温度を調整する調整手段と、を具備したことを特徴とする。
【００１１】
第２の発明は、第１の発明において、前記温度調節室の調整手段は、該温度調節室内に細霧を噴射して該温度調節室内の温度を前記適切な温度に調節することを特徴とする。
【００１２】
【発明の実施の形態】
以下、図面を参照して本発明の実施の形態について説明する。
【００１３】
図１は、本発明の実施の形態であるさし木苗育成装置の構成を示す図である。図１において、このさし木苗育成装置は、温室１内に複数のさし木増殖ボックス２が配置される。
【００１４】
温室１内の上部には、太陽光Ｓの光量が５０００〜２００００luxにするための遮光ネット３が配置される。太陽光Ｓの光量が多いと判断される場合には、この遮光ネット３を手動で操作して太陽光Ｓの入射を制限する。なお、この遮光ネット３の操作は手動で行われるが、この遮光ネット３を用いる際、図示しない照度計を用いるようにしてもよいし、この照度計をもとに監視するようにしてもよい。
【００１５】
温室１内の上部であって、遮光ネット３の下部には、所定の圧力を有した水を通す塩化ビニル管４ａが配管される。そして、塩化ビニル管４ａの途中には、均等に配置された複数の細霧用ノズル５を有し、この細霧用ノズル５から、温室１内の中央部に向かって細霧７を噴出する。
【００１６】
塩化ビニル管４ａは、細霧７を生成するための水を圧出する第１ポンプ６ａに接続される。この第１ポンプ６ａは、ポンプ駆動制御部９によって駆動制御される。ポンプ駆動制御部９は、温室１内の内部温度を最もよく検知することがでくる場所に設置された温度センサ８からの温度信号をもとに、温室１内の温度が２８〜３０℃に維持されるように第１ポンプ６ａの駆動をオン／オフ制御する。すなわち、ポンプ駆動制御部９は、検知した温度が２８℃以下になった場合、第１ポンプ６ａの駆動をオフにして、太陽光Ｓの照射による温室１内の温度の上昇を許容させ、検知した温度が３０℃を越える場合、第１ポンプ６ａの駆動をオンにして、細霧用ノズル７から細霧７を噴射し、噴射された細霧７の気化熱によって温室１内の温度を降下させる制御を行う。これにより、温室１内の温度は、常に２８〜３０℃の範囲内に保たれることになる。
【００１７】
一方、第２ポンプ６ｂからも、塩化ビニル管４ｂを介して各さし木増殖ボックス２内に水が圧出されている。
【００１８】
ここで、図２を参照して、さし木増殖ボックス２の詳細構成について説明する。図２において、さし木増殖ボックス２は、太陽光を透過させる透明のプラスチックカバー１１と、下部に敷き詰められた小石１２とによって密閉されている。敷き詰められた小石１２の上部には、さし床１３が設置され、さし床１３の凹部には、複数のさし穂１４が挿される。
【００１９】
さし木増殖ボックス２の中央部には、第２ポンプ６ｂから圧出された水が塩化ビニル管４ｂを介して供給され、この塩化ビニル管４ｂに接続された潅水用ノズル１５から潅水用の水をさし木増殖ボックス２内に散布する。従って、さし木増殖ボックス２内は、さらに密閉されているので、高湿度（９０〜１００％）に保たれる。
【００２０】
このようにして、複数のさし木のさし穂１４を有するさし木増殖ボックス２内は、常に所望の高湿度（９０〜１００％）に保たれ、太陽光Ｓも遮光ネット３及びプラスチックカバー１１を介して所望の光量（５０００〜２００００lux）が供給されるとともに、温室１内の温度も細霧７の噴射制御によって２８〜３０℃の範囲に維持することができる。この結果、さし木の育成に必要な所望の３つの環境条件、すなわち高湿度、適切な光量、適切な温度の全てを常に維持することができる。
【００２１】
しかも、高湿度及び適切な温度の維持には、全て水を用い、適切な光量の光源としては、太陽光を用いており、しかも構造が簡単であるため、大規模化が可能となる。
【００２２】
逆に、人工光、複雑かつ整備が困難な空調器、加湿器等を用いないため、さし木苗育成装置の維持、管理が容易となる。
【００２３】
ここで、本さし木苗育成装置による細霧冷房を用いた場合と用いない場合とにおけるさし木増殖ボックス内の温度変化について、図３を参照して説明する。
【００２４】
図３は、光量５０００luxで、細霧冷房を用いた場合と用いない場合とにおけるさし木増殖ボックス内の日変化の一部を示しており、細霧冷房を用いない場合に、さし木増殖ボックス内の温度が最高３４℃まで上昇しているのに対し、細霧冷房を用いると、同じさし木増殖ボックス内の温度は、２７．５℃〜３０℃の範囲内に収まっている。さし穂は、３４℃以上になると枯死する可能性があるため、細霧冷房を用いることにより、さし穂の枯死を未然に防止することができる。
【００２５】
なお、図４及び図５を参照して、２種類の木本植物のさし木、すなわち第１の樹種（shorea leprosula）と第２の樹種（shorea selanica）とに対する光量及び温度が発根率に及ぼす影響について示すと、図４は、第１の樹種と第２の樹種とに対して約５０００luxの光量を供給した場合と、約１０００luxの光量を供給した場合におけるそれぞれの発根率の結果を示しており、光量が約５０００luxの場合は発根率が約９０％となり、光量が約１０００luxの場合は発根率が約３０％となっている。この結果、光量が５０００lux供給されるとほとんど発根することがわかり、少なくとも光量５０００lux供給されることが、さし木の育成に必要な環境条件であることがわかる。
【００２６】
また、図５は、第１の樹種と第２の樹種とに対してそれぞれ日中平均温度が２９℃の場合と日中平均温度が３４℃の場合とにおける発根率の結果を示しており、日中平均温度が２９℃である場合は、約９０％が発根する結果となり、日中平均温度が３４℃である場合は、０％が発根する結果となっており、日中平均温度が３４℃となるとさし木は枯死し、日中平均温度が２９℃であることが発根に対する最適温度であることがわかる。
【００２７】
なお、上述した実施の形態では、第１ポンプ６ａと第２ポンプ６ｂとの２つのポンプを用いるようにしているが、この２つのポンプを１つのポンプとしてもよい。但し、この場合ポンプ駆動制御部９は、第１ポンプ６ａの駆動制御を行うのではなく、塩化ビニル管４ａのポンプ側に開閉弁を設け、この開閉弁の開閉制御を行うようにする。これにより、上述した実施の形態と同様な作用、効果を得ることができる。
【００２８】
【発明の効果】
以上詳細に説明したように、本発明では、複数のさし木増殖ボックスが、所定数のさし木を育成するさし床と高い湿度に維持させる潅水手段とを有して、太陽光を透過させる材質で密閉され、温度調節室は、この複数のさし木増殖ボックスを設置する空間を持ち、該空間を前記適切な温度に調整する調整手段、特に該温度調節室内に細霧を噴射して該温度調節室内の温度を前記適切な温度に調節する調整手段を有するようにし、これにより、太陽光による温度調節室内への入射光量の調整とは独立して、該温度調節室内の温度、すなわちさし木増殖ボックス内の温度を調節するとともに、該さし木増殖ボックス内の湿度を高湿度に維持することができる。
【００２９】
この結果、簡易な装置構成により、さし木苗育成に必要な高湿度、適切な温度、及び適切な照度の３つの環境条件を常に維持することができるという利点を有する。
【００３０】
特に、複雑かつ高価な冷暖房装置等の装置構成を必要とせず、装置構成が簡単かつ容易なため、大規模なさし木増殖システムを実現することができるとともに、その維持管理も容易となるという利点を有する。
【００３１】
また、細霧冷房による温度調節が独自に行われるため、さし穂が十分な光合成を行うに必要な光量を確保することができるため、高い発根率を得ることができる。特に発根までに時間を要する木本植物、例えばフタバガキ科等で効果がある。
【００３２】
特に、熱帯地域あるいは夏期においても、さし木増殖ボックス内で光合成をするに十分な光量（５０００〜２００００lux）を確保しても、本さし木苗育成装置によりさし木増殖ボックス内は３０℃以下に保たれ、さし穂の発根率を容易に高めることができるという利点を有する。
【図面の簡単な説明】
【図１】本発明の実施の形態であるさし木苗育成装置の構成を示す図。
【図２】さし木増殖ボックス２の詳細構成を示す図。
【図３】本発明による細霧冷房を用いた場合と用いない場合とにおけるさし木増殖ボックス内の温度変化を示す図。
【図４】２つの樹種に対して約５０００luxの光量を供給した場合と約１０００luxの光量を供給した場合とにおける発根率の結果を示す図。
【図５】２つの樹種に対して日中平均温度が２９℃の場合と日中平均温度が３４℃の場合とにおける発根率の結果を示す図。
【符号の説明】
１…温室  ２…さし木増殖ボックス  ３…遮光ネット
４ａ，４ｂ…塩化ビニル管  ５…細霧用ノズル  ６ａ…第１ポンプ
６ｂ…第２ポンプ  ７…細霧  ８…温度センサ  ９…ポンプ駆動制御部
Ｓ…太陽光  １１…プラスチックカバー  １２…小石  １３…さし床
１４…さし穂  １５…潅水用ノズル
【図１】
0003789548.tif 000002
【図２】
0003789548.tif 000003
【図３】
0003789548.tif 000004
【図４】
0003789548.tif 000005
【図５】
0003789548.tif 000006